(57)【要約】【課題】便器に取り付けた洗剤タンクへの洗剤補給時に洗剤タンク外部に垂れた洗剤が便器内部に浸入するのを防ぎ、便器内部の定期的な掃除やタンクカバーの掃除の手間を省く。【解決手段】便器１０の側面に、洗剤補給口部３ｂが便器１０の外側方Ｂに突出するようにして洗剤タンク３を取り付けると共に、洗剤タンク３を開閉自在に覆うタンクカバー５を便器１０の外側方Ｂに突出して配置した便器装置である。洗剤タンク３の外側方への突出部位の下面側を覆うタンクカバー５の底壁５ａに、タンクカバー５内部に垂れ落ちた洗剤を便器１０の外側方Ｂに排出するための洗剤排出部２６を形成すると共に、タンクカバー５の底壁内面５ｂを、該洗剤排出部２６が形成される部位が最も低く該洗剤排出部２６から離れる程高くなるように傾斜させた。【選択図】図１
2011094323.tif 000002
【特許請求の範囲】
【請求項１】
便器の側面に、洗剤補給口部が便器の外側方に突出するようにして洗剤タンクを取り付けると共に、洗剤タンクを開閉自在に覆うタンクカバーを便器の外側方に突出して配置した便器装置であって、上記便器の外側方に突出したタンクカバーの底壁に、タンクカバー内部に垂れ落ちた洗剤を便器の外側方に排出するための洗剤排出部を形成すると共に、タンクカバーの底壁内面を該洗剤排出部が形成される部位から離れる程高くなるように傾斜させてなることを特徴とする便器装置。
【請求項２】
上記タンクカバーの底壁内面を、便器の外側方に向かう程低くなるように傾斜させて、便器から最も離れた底壁部分に洗剤排出部を形成したことを特徴とする請求項１記載の便器装置。
【請求項３】
上記タンクカバーの底壁側に、タンクカバーを便器の外側方に向けて開閉自在に回動支持する回動手段を設け、開位置まで回動したタンクカバーと便器のサイドカバーとの間から洗剤タンクの洗剤補給口部を露出させるようにしたことを特徴とする請求項１又請求項２記載の便器装置。
【発明の詳細な説明】
【技術分野】
【０００１】
本発明は、便器に取り付けた洗剤タンクを開閉自在に覆うタンクカバーを備えた便器装置に関するものである。
【背景技術】
【０００２】
従来から、便器のサイドカバー内に洗剤タンクを着脱自在に保持するタンクホルダーを配設し、洗剤タンクの洗剤出入部から供給される洗剤を洗浄水流路に混ぜることで、泡発生液を泡立てて便器のボウル部を洗浄するようにしたものが特許文献１により知られている。
【０００３】
ところで、洗剤の使用により洗剤タンク内の洗剤は目減りするものであるため、洗剤タンクには洗剤を補充する必要があり、そこで、上記特許文献１に見られる従来例では、便器の左側のサイドカバーに係止したタンクカバーを開いて、便器の外側方に突出している洗剤タンクの洗剤補給口部から洗剤を補給するようにしている。
【０００４】
しかし、便器の外側面とトイレルームの壁面との隙間の空間は一般に狭く、洗剤を入れた容器を片手で持って洗剤タンクの洗剤補給口部に供給する際に、洗剤をこぼすことが多く、こぼれた洗剤が洗剤タンクの側面を伝って便器内部に浸入することがあり、浸入した洗剤が便器内部のフレーム等の部品の錆発生や腐食の原因となる場合がある。このため従来では、定期的にサイドカバーを取り外して便器内部の掃除を行う必要があり、特に狭いトイレルームでは困難を伴うものであった。またタンクカバーの底壁内面に洗剤が溜まりやすく、この溜まった洗剤が便器内部へ浸入したり、洗剤タンクの表面に付着することがあるため、タンクカバーの洗浄も定期的に行う必要があった。
【先行技術文献】
【特許文献】
【０００５】
【特許文献１】特開２００９−１０８５０９号公報
【発明の概要】
【発明が解決しようとする課題】
【０００６】
本発明は上記の事情に鑑みてなされたものであって、その目的とするところは、便器に取り付けた洗剤タンクへの洗剤補給時に洗剤タンク外部に垂れた洗剤が便器内部に浸入するのを防止でき、便器内部の定期的な掃除やタンクカバーの掃除の手間を省くことができる清掃性に優れた便器装置を提供するものである。
【課題を解決するための手段】
【０００７】
前記の課題を解決するために、本発明は、便器１０の側面に、洗剤補給口部３ｂが便器１０の外側方Ｂに突出するようにして洗剤タンク３を取り付けると共に、洗剤タンク３を開閉自在に覆うタンクカバー５を便器１０の外側方Ｂに突出して配置した便器装置であって、上記便器１０の外側方Ｂに突出したタンクカバー５の底壁５ａに、タンクカバー５内部に垂れ落ちた洗剤を便器１０の外側方Ｂに排出するための洗剤排出部２６を形成すると共に、タンクカバー５の底壁内面５ｂを、該洗剤排出部２６が形成される部位が最も低く該洗剤排出部２６から離れる程高くなるように傾斜させてなることを特徴としている。
【０００８】
このような構成とすることで、洗剤補給時に洗剤タンク３外部に漏れてタンクカバー５内部に垂れた洗剤は、タンクカバー５の傾斜した底壁内面５ｂに集められ、底壁内面５ｂの傾斜勾配の最も低い位置に形成した洗剤排出部２６から便器１０の外側方Ｂへと排出される。これにより、洗剤が便器１０内部に浸入するおそれがなくなると共に、洗剤排出部２６からの洗剤の垂れ位置は、便器１０の外側方Ｂの決まった位置に定められるので、洗剤の拭き取りも容易となる。さらにタンクカバー５内部に洗剤が溜まりにくいので、洗剤タンク３表面への洗剤汚れも防止できる。
【０００９】
また、上記タンクカバー５の底壁内面５ｂを、便器１０の外側方Ｂに向かう程低くなるように傾斜させて、便器１０から最も離れた底壁５ａ部分に洗剤排出部２６を形成するのが好ましい。この場合、洗剤排出部２６からの洗剤の垂れ位置を、便器１０から遠ざけることができるので、便器１０内部への洗剤の浸入を確実に防止できる。
【００１０】
また、上記タンクカバー５の底壁５ａ側に、タンクカバー５を便器１０の外側方Ｂに向けて開閉可能に回動支持する回動手段５０を設け、開位置まで回動したタンクカバー５と便器１０のサイドカバー１６との間から洗剤タンク３の洗剤補給口部３ｂを露出させるのが好ましい。この場合、タンクカバー５を便器１０から取り外さずに、洗剤補給口部３ｂへの洗剤の補給作業が容易にできると共に、洗剤補給時に零れたり洗剤タンク１０の側面に垂れたりした洗剤は開いたタンクカバー５内部に液垂れして洗剤排出部２６から便器１０の外側方Ｂに排出されるようになる。
【発明の効果】
【００１１】
本発明は、便器の外側方に突出して配置されるタンクカバーに洗剤補給時に洗剤タンク外部に垂れた洗剤を便器の外側方へ排出するための洗剤排出部を設けたことにより、便器内部への洗剤の浸入が防がれ、洗剤による便器内部のフレーム等の部品の錆や腐食の発生を防止でき、結果、便器内部の掃除を定期的に行う必要がなくなる。また便器の外側方の決まった位置に洗剤排出部から洗剤を滴下させることにより、洗剤の拭き取りが容易となり、そのうえタンクカバー内面に洗剤が溜まりにくく、清掃性が良好となるものである。
【図面の簡単な説明】
【００１２】
【図１】本発明の実施形態の一例を示し、垂れた洗剤がタンクカバーの洗剤排出部から便器の外側方に排出される状態を説明する側面断面図である。
【図２】同上のタンクカバーを後方から見た斜視図である。
【図３】同上のタンクカバーの洗剤排出部が設けられる部分を前下方から見た斜視図である。
【図４】同上のタンクカバーを開いたときの洗剤の垂れ位置を説明する斜視図である。
【図５】同上のタンクカバーを開いた状態を示す便器全体の平面図である。
【図６】同上のタンクカバーを開いた状態を示す便器全体の斜視図である。
【図７】本発明の他の実施形態を示し、（ａ）は同上のタンクカバーの上係止爪がサイドカバーに係止された状態を説明する側面断面図であり、（ｂ）は凸リブと下係止爪とでタンクカバーを開位置で保持する状態の説明図である。
【図８】（ａ）は同上のタンクカバーを後方から見た斜視図であり、（ｂ）はサイドカバーの突出用孔付近を前方から見た斜視図である。
【図９】同上の便器装置の概略側断面図である。
【図１０】同上の便器装置の要部であり、（ａ）は斜視図であり、（ｂ）は側断面図である。
【発明を実施するための形態】
【００１３】
以下、本発明を添付図面に示す実施形態に基いて説明する。
【００１４】
本例の便器装置１は、図９に示すように、主体を構成する便器１０に対して、洗剤供給手段２を付設した洗浄水吐水装置１１や局部洗浄装置（図示せず）やトラップ装置１３などの各種装置を一体に収めて配備して構成された水洗便器である。
【００１５】
便器１０は上記各種装置１１、１３等を収容するハウジングで覆われており、本例のハウジングは合成樹脂製であって、便器装置１の前部域には上面に開口するボウル部１５が設けられている。便器装置１の後部域では、ボウル形成パーツ１５ａや後述するサイドカバー１６にて囲繞された空間である機器収納部１７が形成され、この機器収納部１７に対して洗浄水吐水装置１１や局部洗浄装置やトラップ装置１３が収められて配設されている。ここでは、ボウル部１５を形成するボウル形成パーツ１５ａ、便器装置１の外殻を形成するサイドカバー１６を溶着一体化させて形成している。
【００１６】
トラップ装置１３は、機器収納部１７の下部域に設けられる。本例のトラップ装置１３は、節水効果の期待できるターントラップ方式であり、つまりボウル部１５の下部から背方に突設した排水筒部１８に対して接続したフレキシブルなトラップ筒１９が、モータにより上下に回動駆動されて、ボウル部１５内の溜水３５を排水できる構造を有する。
【００１７】
洗浄水吐水装置１１は、機器収納部１７におけるトラップ装置１３の上方域に設けられる。ここで、便器１０の後部上部は、ボウル部１５の上面レベルよりも上方に立ち上がった立上り部２０とされており、洗浄水吐水装置１１や局部洗浄装置等を収める機器収納部１７を広く採り得る構造となっている。立上り部２０の左右方向の両側端部にはボウル部１５上に位置される便座２１や便蓋２２が起倒自在に枢支されている。ボウル部１５の開口縁後部に臨む立上り部２０の前部の下縁部位には、用便後にボウル洗浄水を流す洗浄水吐水装置１１の洗浄水吐出口２３が開設されている。
【００１８】
本例の洗浄水吐水装置１１は、装置の小型化を期待できるタンクレス方式であり、つまり水源である上水道からボウル部１５に至る洗浄水流路２４を有し、洗浄水流路２４に配置した洗浄水開閉弁２５の開閉によって、ボウル洗浄水を洗浄水流路２４の下流端の洗浄水吐出口２３からボウル部１５内に吐出できる構造のものが採用されている。このタンクレス方式の場合、ボウル洗浄水の搬送圧として水道圧をそのまま利用したり、洗浄水流路２４に圧送ポンプを設けて洗浄水を圧送させることもできる。これ以外の構造、たとえば水源としてのロータンクの貯留水を開閉弁を介して流すタンク方式のものも採用できる。なお、洗浄水吐水装置１１の洗浄水開閉弁２５の開閉動作やトラップ装置１３のトラップ筒１９の回動動作は、使用者の操作部（図示せず）の操作に基づいて機器収納部１７に内装した制御部（図示せず）によって適宜制御される。上記の洗浄水吐出口２３はボウル部１５の開口縁後部における幅方向の一方に設けられているので、吐出されたボウル洗浄水はボウル部１５内を隈なく且つ勢い良く旋回する旋回流となり、ボウル部１５内の汚物を一気に流し得るようにされている。
【００１９】
更に言うと、本例の洗浄水吐水装置１１には、図１０に示すように、ボウル洗浄水に空気を混入してこの空気を微細化して微細気泡を生成してボウル洗浄水に含有させる微細気泡発生手段２７が設けられる。微細気泡をボウル洗浄水に含有させると、嵩比重の低下による節水効果、ボウル洗浄水のボウル部１５の内面への衝突の際の摩擦低減による静音化や水跳ね防止効果は勿論のこと、微細気泡がボウル部１５の内壁に衝突して破裂する際に発生する衝撃波や気泡界面が有する吸着特性などによって、ボウル部１５の内壁に付着する汚物を強力に剥がして吸着できる気泡洗浄効果も期待できる。
【００２０】
具体的には、微細気泡発生手段２７は、図１０に示すように、洗浄水流路２４に空気混入部２８を設けると共にこの下流にベンチュリー管状の圧力急変部２９を設けて成る管材２７ａにて構成される。空気混入部２８は、洗浄水流路２４の径を絞ったノズル部２８ａの周辺に逆止弁３０（図９）を備えた空気供給管３１を接続して成り、ノズル部２８ａに生じる負圧によって空気をボウル洗浄水内に隈なく混入させ得るようにしてある。圧力急変部２９は、上流側から順に、径を絞る縮径部３２、絞られた径の咽喉部３３、径を拡げる拡径部３４が連設された構造を有し、上記空気混入部２８にてボウル洗浄水に混入した空気は、ボウル洗浄水が圧力急変部２９を流れる際に、まず縮径部３２及び咽喉部３３での内圧降下にて膨張され、続けて拡径部３４での内圧上昇にて剪断力や衝撃波が作用されて破砕され微細化される。微細気泡発生手段２７としては混入空気をボウル洗浄水内に溶解させた後に析出させるタイプも用いることができるが、このタイプだと溶解タンクが必要になって大型化するので、本例のような剪断力等を利用して混合空気を破砕して微細化させる管材２７ａで構成されるタイプのものを好適に用いることができる。
【００２１】
洗剤供給手段２は、洗浄水流路２４に設けた洗剤混合部７に対して洗剤タンク３から至る洗剤供給路８が接続され、洗剤供給路８に設けた洗剤用ポンプ３６を駆動すると共に洗剤供給路８に設けた洗剤用開閉弁３７が開かれることで、洗剤混合部７にてボウル洗浄水に対して洗剤タンク３内に貯留した液状の中性洗剤から成る洗剤を混合させて洗剤混合水を生成するようにされている。詳しくは、本例の洗剤供給路８は、往路部の始端と復路部の終端とが洗剤タンク３内に位置する循環経路部３８と、循環経路部３８の途中から分岐して洗浄水流路２４の洗剤混合部７に至る供給経路部３９とを有している。洗剤用ポンプ３６は循環経路部３８に設けられ、洗剤用開閉弁３７は供給経路部３９の下流端に設けられている。洗剤用ポンプ３６を駆動すると洗剤タンク３に貯留された洗剤が循環経路部３８を循環するので、洗剤が洗剤供給路８内で固化等して詰まることが防止されている。また、洗剤混合部７は、洗浄水流路２４の流路径を絞って流れるボウル洗浄水に負圧を発生させる部位となっており、本例では管材２７ａの咽喉部３３で構成されている。洗剤用開閉弁３７は、洗剤混合部７でのボウル洗浄水の負圧がかかると共に、洗剤用ポンプ３６が駆動してポンプ圧がかかった場合に開くようにされていて、一定の洗剤がボウル洗浄水内に混入されるようになっている。
【００２２】
洗剤混合水は洗浄水流路２４を経て洗浄水吐出口２３からボウル部１５内に供給される。洗浄水吐出口２３から吐出された洗剤混合水は、上述したように旋回流になってボウル部１５の内面に隈なく行きわたり、洗剤混合水に含有する洗剤による洗剤洗浄効果をボウル部１５の内面に隈なく発揮させて効果的な洗浄が可能にされている。更に言うと、洗剤混合水はボウル洗浄水に比べて水の表面張力（粘性）が低下し、微細気泡発生手段２７で発生する微細気泡の径をｍｍオーダーからμｍオーダーにまで小さくできる効果も有する。μｍオーダーの微細気泡はｍｍオーダーの微細気泡に比べて格段に割れにくい性質を有する。したがって、本例の便器装置１では、ボウル部１５の洗浄動作におけるボウル部１５内に溜水３５が形成されるタイミングで洗剤混合水を生成させ、気泡を長期に亙って残留させた溜水３５を形成させて、溜水３５の喫水線付近の汚れ付着防止を図るように、制御部による制御がなされている。
【００２３】
ところで、洗剤は洗剤供給手段２の使用により目減りするため、洗剤タンク３には洗剤を補充するなど定期的なメンテナンスが必要とされる。
【００２４】
ここで本実施形態においては、図５、図６に示すように、便器１０の外側面を覆う両側のサイドカバーのうち、タンクホルダー４側に配置された一方のサイドカバー１６に、突出用孔１６ａが形成されている。突出用孔１６ａはタンクホルダー４に対応する位置に形成され、側面視矩形状に形成されている。
【００２５】
本例の洗剤タンク３は、図４に示すように、容量が大きい幅広の本体部３Ａの一部から容量が小さい幅狭の外方突出部３ＢがＬ字状に突設されており、本体部３Ａがタンクホルダー４に保持された状態で、外方突出部３Ｂが突出用孔１６ａから便器１０の外側方Ｂに突出配置されている。本例の外方突出部３Ｂは、図１に示すように、下部から上部に行くほど便器１０から外側方Ｂに離れるように傾斜しており、便器１０から最も離れた上部にキャップ付き洗剤補給口部３ｂが設けられている。また、外方突出部３Ｂの下面と本体部３Ａの下面との境目には凹み３ｃ（図１）が形成されており、外方突出部３Ｂの側面から下面に垂れる洗剤は凹み３ｃの存在によって本体部３Ａの下面側へ移動することができず、このため図１の矢印Ａで示す方向に、外方突出部３Ｂの側面からタンクカバー５内部に垂れ落ちるようになり、図１の矢印Ａ´には流れ落ちないようになっている。
【００２６】
洗剤タンク３を覆う箱状のタンクカバー５は、便器１０の外側方Ｂに向けて突出した状態でサイドカバー１６に係止されていると共に、閉位置においてもタンクカバー５の内面と洗剤タンク３の表面との間には、十分なクリアランスが保たれており、タンクカバー５内面に付着した洗剤により洗剤タンク３の表面が汚れないようにしている。
【００２７】
タンクカバー５の底壁５ａには、図１〜図４に示すように、洗剤タンク３の側面から垂れた洗剤を便器１０の外側方Ｂに排出するための洗剤排出部２６が形成されている。本例の洗剤排出部２６はタンクカバー５を貫通する貫通孔２６ａからなり、貫通孔２６ａの一端がタンクカバー５の内部空間に連通し他端が便器１０の外側方Ｂに連通している。さらにタンクカバー５の底壁内面５ｂ全体を、該洗剤排出部２６（貫通孔２６ａ）が形成された部位が最も低く該洗剤排出部２６から離れる程高くなるように傾斜している。
【００２８】
図２に示す例では、タンクカバー５の底壁内面５ｂには、左右両側から中央側に向かって下り傾斜した両側傾斜部５ｃ,５ｃと、後端から前端に向かう程徐々に低くなるように、つまり、便器１０の外側方Ｂに向かう程低くなるように傾斜した樋状の中央傾斜部５ｄとが形成されている。これら傾斜部５ｃ,５ｄの勾配は、例えば、タンクカバー５を閉位置で保持した状態で、５°程度とされる。
【００２９】
また、上記タンクカバー５の底壁５ａ側には、タンクカバー５を便器１０の外側方Ｂに向けて開閉可能に回動支持する回動手段５０が設けられている。本例の回動手段５０は、タンクカバー５の底壁５ａの後端部の左右２箇所から突出して下方に屈曲した略Ｃ字状の下係止爪５３からなり、図３に示すように、サイドカバー１６の突出用孔１６ａの下縁部に設けた被係止部６１に対して着脱自在に引っ掛け係止される。下係止爪５３を中心にタンクカバー５を開く方向に回動させることでタンクカバー５と便器１０のサイドカバー１６との間に洗剤タンク３の洗剤補給口部３ｂが露出するようになっている。タンクカバー５の開き角度は、略４５°〜９０°程度とされるが、勿論これには限らず、少なくとも洗剤タンク３の洗剤補給口部３ｂが露出する開き角度であればよい。
【００３０】
上記タンクカバー５を閉位置で係止する手段は、図１に示すように、タンクカバー５の上壁５ｅの後端部から後方に向かって突設される上係止爪５１からなり、タンクカバー５の閉位置で上係止爪５１が便器１０のサイドカバー１６の突出用孔１６ａの内側に固定した係止具７０に引っ掛け係止される。この係止具７０に対する上係止爪５１の掛かり代は、外部からタンクカバー５の上壁５ｅを手で押圧すると上係止爪５１が下降して係止具７０から外れるように設定される。この上係止爪５１と係止具７０との係止が外れる方向は、タンクカバー５が回動する方向とは直角方向である。
【００３１】
上記タンクカバー５を開位置で保持する手段は、図２に示すように、タンクカバー５の一方の側壁の後端部から後方に突出する横係止爪５２からなり、タンクカバー５の開位置でサイドカバー１６の突出用孔１６ａの側縁部に引っ掛かることでタンクカバー５がそれ以上、外側方Ｂへ回動するのが阻止される。この横係止爪５２の掛かり代は外部からの力がタンクカバー５に掛かったり或いはタンクカバー５を便器１０から取り外そうとしたときにサイドカバー１６の側縁部から容易に外れる程度に設定される。
【００３２】
しかして、上記構成のタンクカバー５を開いて洗剤容器７２（図１）から洗剤補給口部３ｂから洗剤を補充する際に、洗剤が零れて洗剤タンク３の側面等に垂れた場合でも、図１の矢印Ａで示すように、開いたタンクカバー５内面で洗剤が受け止められて洗剤排出部２６から便器１０の外側方Ｂへ排出される。またタンクカバー５を閉じた後にも、残った洗剤は底壁内面５ｂの傾斜に沿って最も低い洗剤排出部２６へ誘導され、洗剤排出部２６から便器１０の外側方Ｂへ排出される。従って、垂れたり零れたりした洗剤が図１の矢印Ａ´で示すように便器１０内部に浸入するおそれがなくなり、洗剤が便器１０内部のフレーム等の部品を錆つかせたり、腐食させにくいので、便器１０内部の掃除を定期的に行う必要がなくなる。しかも洗剤排出部２６から洗剤の垂れ位置は、便器１０の外側方Ｂの床面の決まった位置に決められるので、洗剤の拭き取りが容易となり、そのうえタンクカバー５の内部に洗剤が溜まりにくいので、洗剤タンク３表面への洗剤汚れも防止できる利点がある。
【００３３】
また、タンクカバー５の底壁内面５ｂを、便器１０の外側方Ｂに向かう程低くなるように傾斜させて、便器１０から最も離れた底壁５ａ部分に洗剤排出部２６を形成したので、洗剤排出部２６からの洗剤の垂れ位置を、便器１０から遠ざけることができるので、便器１０内部への洗剤浸入をより確実に防止できる利点がある。
【００３４】
さらに、洗剤補給時にタンクカバー５の上壁５ｅを手で押すと上係止爪５１の係止が外れてタンクカバー５が下係止爪５３を中心に便器１０の外側方Ｂに向かって回動され、洗剤タンク３の洗剤補給口部３ｂがタンクカバー５と便器１０との間で露出した段階で横係止爪５２によってタンクカバー５の回動が停止するので、便器１０の外側面とトイレルームの壁面との隙間が狭いスペースであっても、タンクカバー５の開閉作業を片手操作で簡単にできると共に、タンクカバー５を便器１０から取り外す必要がない。しかも洗剤タンク３の洗剤補給口部３ｂが露出するため、洗剤タンク３を便器１０から取り外さずに洗剤の補給作業を容易に行うことができる利点がある。
【００３５】
また、タンクカバー５を洗浄する際には、上係止爪５１、横係止爪５２、下係止爪５３をいずれもサイドカバー１６から簡単に外すことができるので、タンクカバー５を便器１０から簡単に取り外すことができる。
【００３６】
さらに、閉位置にあるタンクカバー５が上から荷重を受けたときは、上壁５ｅが押されて上係止爪５１が係止具７０から離脱してタンクカバー５が開くので、外部からの力を逃がすことができる。さらに、開位置で保持された状態にあるタンクカバー５が上から荷重を受けたときは、横係止爪５２がサイドカバー１６の側縁部から外れ且つ下係止爪５３が被係止部６１から抜けることで、タンクカバー５が便器１から外れて落ちる。これにより、外部からの力によるタンクカバー５の損壊等を防止できる利点がある。
【００３７】
図７及び図８は本発明の他の実施の形態であり、タンクカバー５以外の構成は前記実施形態と同様である。本例では、図８（ａ）に示すように、タンクカバー５の底壁内面５ｂを、便器１０の外側方Ｂに向かう程高くなるように傾斜させ、便器１０に最も近い底壁５ａ部分に洗剤排出部２６を形成している。本例の洗剤排出部２６は、底壁５ａの後端部の中央部分を切り欠いた切欠き２６ｂからなる。底壁内面５ｂは洗剤排出部２６から離れる程徐々に高くなるように傾斜しており、さらに底壁５ａの後端部の左右両側には起立片７１が立設されており、これにより底壁内面５ｂ上に垂れた洗剤は図８（ａ）の矢印Ａで示すように洗剤排出部２６に向けて誘導される。なお傾斜勾配は例えば、タンクカバー５を閉位置で保持した状態で、５°程度とされる。一方、タンクカバー５の後端部と対向するサイドカバー１６の突出用孔１６ａの下縁部には、図８（ｂ）に示すように、タンクカバー５の下係止爪５３が引っ掛け係止される左右の被係止部６１と、洗剤排出部２６よりも上方に突出する堰部６２とが設けられている。堰部６２は洗剤排出部２６から排出される洗剤が突出用孔１６ａから便器１０内部に浸入するのを防ぐと共に、該洗剤をサイドカバー１６の外面を伝い落ちるように案内する働きをする。
【００３８】
しかして、タンクカバー５の下係止爪５３をサイドカバー１６の被係止部６１に引っ掛けた状態で、タンクカバー５の洗剤排出部２６がサイドカバー１６の堰部６２に対向配置されるようになり、タンクカバー５の底壁内面５ｂ上の洗剤は、堰部６２によって便器１０内部への浸入が阻止された状態となり、洗剤排出部２６から流下してサイドカバー１６の外面を伝い落ちるようになる。このように洗剤排出部２６からの洗剤の垂れ位置は、サイドカバー１６の外面の決まった位置となるので、拭き取りがしやすくなる。
【００３９】
また本例では、タンクカバー５を開位置で保持する手段として、前記実施形態の横係止爪５２（図１〜図４）に代えて、図７に示すように、タンクカバー５の底壁５ａ下面の左右２箇所から下方に向けて凸リブ６０を突設している。タンクカバー５を所定角度で開くと、図７（ｂ）の矢印Ｈに示す方向に向けて凸リブ６０がサイドカバー１６の外面１６ａに当たることで、下係止爪５３が図７（ｂ）の矢印Ｇ方向に引き寄せられてサイドカバー１６の内面１６ｂに押接した状態となるので、下係止爪５３と凸リブ６０とでサイドカバー１６を挟持でき、タンクカバー５を開位置で安定して保持できるようになる。しかも下面の凸リブ６０は目立ちにくく、しかも洗剤が付着しにくい場所に設けられるので、タンクカバー５の外観がすっきりしたものとなる。
【００４０】
さらに、閉位置にあるタンクカバー５が上から荷重を受けたときは、上壁５ｅが押されて上係止爪５１が係止具７０から離脱して、タンクカバー５に掛かる力Ｆ（図７（ａ））を図７（ａ）の矢印Ｅ方向、つまりタンクカバー５が開く方向に逃がす。さらに、開位置で保持された状態にあるタンクカバー５はその下係止爪５３と凸リブ６０とでサイドカバー１６を挟持している状態にあり、この状態でタンクカバー５が上から荷重を受けたときは、下係止爪５３が被係止部６１から抜けることでタンクカバー５が便器１から外れて落ちる。これにより、外部からの力によるタンクカバー５の損壊等を防止できる利点がある。
【００４１】
なお、前記実施形態では、便器装置１として合成樹脂製のものを例示したが、たとえば合成樹脂製のサイドカバー１６と陶器製のボウル部１５とで成る樹脂と陶器との組み合わせ型を用いたり、ボウル部１５やサイドカバー１６を一体の陶製成形物で構成した従来一般の陶器製を用いることもできる。
【００４２】
また、上記実施形態では、タンクホルダー４は便器装置１の後部の下部に配設してあるが、他の部位に配設してもよい。
【符号の説明】
【００４３】
１  便器装置
３  洗剤タンク
３ｂ  洗剤補給口部
５  タンクカバー
５ａ  底壁
５ｂ  底壁内面
１０  便器
１５  ボウル部
１６  サイドカバー
１６ａ  突出用孔
２６  洗剤排出部
Ｂ  外側方
【図１】
2011094323.tif 000003
【図２】
2011094323.tif 000004
【図３】
2011094323.tif 000005
【図４】
2011094323.tif 000006
【図５】
2011094323.tif 000007
【図６】
2011094323.tif 000008
【図７】
2011094323.tif 000009
【図８】
2011094323.tif 000010
【図９】
2011094323.tif 000011
【図１０】
2011094323.tif 000012